(57)【要約】      （修正有）【課題】ＩＣカードのデータ表示方法及びＩＣカードに関し、既存の高セキュリティのＩＣチップを用いてリーダライタの機構変更を伴うことなくＩＣカード上で所有者の保持データを表示可能とする。【解決手段】情報管理装置からの保持データの要求に対して第１制御部２１が第１アンテナ部２２を介して記憶部２３上の保持データを送信し、情報管理装置に対して所有者から保持データの変動の要求に応じて更新された更新保持データが当該情報管理装置より送信されて第１アンテナ部２２で受信し、第１制御部２１が更新保持データに基づき記憶部２３の保持データを更新する。情報管理装置から第１制御部２１に対する更新保持データとは別に表示データとして送信される更新保持データを第２アンテナ部２６で受信し、第２制御部２４が当該表示データを表示部２７に表示する構成とする。【選択図】図１
2011076151.tif 000002
【特許請求の範囲】
【請求項１】
所有者の更新自在な保持データを記憶部に記憶するもので、第１アンテナ部に接続されて所定の周波数で通信自在な第１制御部、第２アンテナ部に接続されて上記周波数で通信自在な第２制御部、及び、当該第２制御部により制御される所定数の表示部を備えるＩＣカードと、当該ＩＣカードの第１アンテナ部及び第２アンテナ部と通信自在とする一のリーダライタアンテナ部を備え、上記ＩＣカードの記憶部に記憶されている保持データを更新する情報管理装置とにより、上記ＩＣカードの表示部に、当該記憶部に記憶されている保持データを表示させるＩＣカードのデータ表示方法であって、
前記情報管理装置からの少なくとも保持データの要求を前記ＩＣカードの第１アンテナ部で受信するステップと、
前記情報管理装置からの要求に応じて、前記ＩＣカードの第１制御部が前記記憶部に記憶されている保持データを、第１アンテナ部を介して送信するステップと、
前記情報管理装置に対して所有者から前記取得させた保持データの変動の要求に応じて更新された更新保持データが当該情報管理装置より送信され、前記ＩＣカードの第１アンテナ部で受信するステップと、
前記ＩＣカードの第１制御部が前記第１アンテナ部で受信した更新保持データに基づき記憶部に記憶している保持データを更新するステップと、
前記情報管理装置から前記第１制御部に対する更新保持データとは別に表示データとして送信される更新保持データを、前記ＩＣカードの第２アンテナ部で受信するステップと、
前記ＩＣカードの第２制御部が前記第２アンテナ部で受信した表示データを前記表示部に表示させるステップと、
を含むことを特徴とするＩＣカードのデータ表示方法。
【請求項２】
一の周波数で通信自在な一のリーダライタアンテナ部を備えて表示データの送信可能な情報管理装置に対して非接触で通信自在なＩＣカードであって、
所有者の保持データを記憶する記憶部を備えて前記情報管理装置との通信を制御するものであり、前記情報管理装置からの保持データの要求を受信したときに当該記憶部に記憶している保持データを当該情報管理装置に送信し、また、当該情報管理装置に対して所有者から当該取得させた保持データの変動の要求に応じて更新された更新保持データを当該情報管理装置より受信したときに当該更新保持データに基づき記憶部に記憶している保持データを更新する第１制御部と、
前記情報管理装置に対して前記第１制御部の処理を行うためのデータ授受の通信を行う第１アンテナ部と、
前記情報管理装置から前記第１制御部に対する更新保持データとは別に表示データとして送信される更新保持データを受信する第２アンテナ部と、
前記第２アンテナ部で受信した表示データに基づいて表示制御を行う第２制御部と、
前記第２制御部により表示制御されて前記表示データを表示する所定数の表示部と、
を有することを特徴とするＩＣカード。
【発明の詳細な説明】
【技術分野】
【０００１】
本発明は、個別毎に所有されるＩＣカードに記憶されている当該所有者の保持データを表示させるＩＣカードのデータ表示方法及びＩＣカードに関する。
【背景技術】
【０００２】
近年、例えば、プリペイドや電子マネーの保持データを記憶している非接触のＩＣカードは、所有者にとっては当該保持データがどのくらいであるかを視認できることを望むものであるが、一方で、ＩＣカードは不正使用を防止するために、リーダライタに対してＩＳＯ１８０９２対応の通信を行うことによりデータ授受だけの単独機能で高セキュリティを確保しているＩＣチップが使用されることが多く、このようなＩＣチップが使用されるＩＣカード上の表示をリーダライタの機構的な変更を伴うことなく可能とすることが望ましい。
【０００３】
従来、プリペイドや電子マネーの保持データを記憶している非接触のＩＣカードはアンテナ部と制御部（ＩＣチップ）で構成され、情報管理装置が当該ＩＣカードに対して通信を行い、当該ＩＣカードに記憶されている保持データを所有者のデータ変動（入金等）の要求に対して演算を行い、ＩＣカードに記憶されていた保持データを更新させるものである。この情報管理装置は、ＩＣカードのアンテナ部に対応し、所定周波数の電波を用いて通信を行うもので、当該通信のための周波数に応じた一のアンテナ部が備えられる。
【０００４】
ところで、非接触のＩＣカードとして、以下の特許文献等で提案されているものがある。特許文献１では、第１チップ及び第１ＨＦコイルの組と、第２チップ及び第２ＬＦコイルの組とで構成した、異なる２組の周波数アンテナコイルとＩＣチップを内蔵させた２つの機能ユニットのＩＣカードが提案されている。
【０００５】
また、特許文献２では、アンテナコイルに接続されたＩＣチップと、異なるアンテナコイルに接続された有機ＥＬ制御用チップで構成され、ＩＣチップの出力ポートと有機ＥＬ制御用チップの入力ポートが接続され、当該有機ＥＬ制御用チップの出力ポートに有機ＥＬパネルが接続されたもので、ＩＣチップのメモリ上の情報を有機ＥＬ制御用チップにより有機ＥＬパネルに表示させるＩＣカードが提案されている。
【先行技術文献】
【特許文献】
【０００６】
【特許文献１】特許第４０１６７６２号公報
【特許文献２】特開２００８−２１７２１５号公報
【発明の概要】
【発明が解決しようとする課題】
【０００７】
上記特許文献１で提案されているＩＣカードに表示機能を備えさせる場合、当該情報管理装置では、当該ＩＣカードの第１ＨＦコイルと第２ＬＦコイルの異なる周波数に対応させたアンテナ部を備えなければならず、装置構成の変更によるコスト増を招くという問題がある。
【０００８】
また、上記特許文献２で提案されているＩＣカードは、表示機能を有するものの、通信によるデータ授受だけの単独機能で高セキュリティを確保している既存のＩＣチップを使用することができないという問題がある。すなわち、特許文献２におけるＩＣカードでセキュリティを確保するためにはＩＣチップが通信状態であるときには有機ＥＬ制御用チップの動作を停止させ、当該有機ＥＬ制御用チップを動作させているときにはＩＣチップの通信動作を停止させなければならず、そのためのプログラムをＩＣチップに含ませる必要があり、別途製品化させなければならないこととなるものである。
【０００９】
そこで、本発明は上記課題に鑑みなされたもので、既存の高セキュリティのＩＣチップを用いてリーダライタの機構変更を伴うことなくＩＣカード上で所有者の保持データを表示可能とさせるＩＣカードのデータ表示方法及びＩＣカードを提供することを目的とする。
【課題を解決するための手段】
【００１０】
上記課題を解決するために、請求項１の発明では、所有者の更新自在な保持データを記憶部に記憶するもので、第１アンテナ部に接続されて所定の周波数で通信自在な第１制御部、第２アンテナ部に接続されて上記周波数で通信自在な第２制御部、及び、当該第２制御部により制御される所定数の表示部を備えるＩＣカードと、当該ＩＣカードの第１アンテナ部及び第２アンテナ部と通信自在とする一のリーダライタアンテナ部を備え、上記ＩＣカードの記憶部に記憶されている保持データを更新する情報管理装置とにより、上記ＩＣカードの表示部に、当該記憶部に記憶されている保持データを表示させるＩＣカードのデータ表示方法であって、前記情報管理装置からの少なくとも保持データの要求を前記ＩＣカードの第１アンテナ部で受信するステップと、前記情報管理装置からの要求に応じて、前記ＩＣカードの第１制御部が前記記憶部に記憶されている保持データを、第１アンテナ部を介して送信するステップと、前記情報管理装置に対して所有者から前記取得させた保持データの変動の要求に応じて更新された更新保持データが当該情報管理装置より送信され、前記ＩＣカードの第１アンテナ部で受信するステップと、前記ＩＣカードの第１制御部が前記第１アンテナ部で受信した更新保持データに基づき記憶部に記憶している保持データを更新するステップと、前記情報管理装置から前記第１制御部に対する更新保持データとは別に表示データとして送信される更新保持データを、前記ＩＣカードの第２アンテナ部で受信するステップと、前記ＩＣカードの第２制御部が前記第２アンテナ部で受信した表示データを前記表示部に表示させるステップと、を含む構成とする。
【００１１】
請求項２の発明では、一の周波数で通信自在な一のリーダライタアンテナ部を備えて表示データの送信可能な情報管理装置に対して非接触で通信自在なＩＣカードであって、所有者の保持データを記憶する記憶部を備えて前記情報管理装置との通信を制御するものであり、前記情報管理装置からの保持データの要求を受信したときに当該記憶部に記憶している保持データを当該情報管理装置に送信し、また、当該情報管理装置に対して所有者から当該取得させた保持データの変動の要求に応じて更新された更新保持データを当該情報管理装置より受信したときに当該更新保持データに基づき記憶部に記憶している保持データを更新する第１制御部と、前記情報管理装置に対して前記第１制御部の処理を行うためのデータ授受の通信を行う第１アンテナ部と、前記情報管理装置から前記第１制御部に対する更新保持データとは別に表示データとして送信される更新保持データを受信する第２アンテナ部と、前記第２アンテナ部で受信した表示データに基づいて表示制御を行う第２制御部と、前記第２制御部により表示制御されて前記表示データを表示する所定数の表示部と、を有する構成とする。
【発明の効果】
【００１２】
本発明によれば、情報管理装置からの保持データの要求を第１アンテナ部で受信し、第１制御部が記憶部に記憶している保持データを要求の情報管理装置に当該第１アンテナ部を介して送信し、情報管理装置に対して所有者から取得させた保持データの変動の要求に応じて更新された更新保持データが当該情報管理装置より送信されて第１アンテナ部で受信し、第１制御部が第１アンテナ部で受信した更新保持データに基づき記憶部に記憶している保持データを更新し、情報管理装置から第１制御部に対する更新保持データとは別に表示データとして送信される更新保持データを第２アンテナ部で受信し、第２制御部が当該表示データを所定数の表示部に表示する構成とすることにより、第１制御部を既存の高セキュリティのＩＣチップとし、情報管理装置の制御部のプログラムの変更だけでリーダライタ部分の機構変更を伴うことなくＩＣカード上の第１制御部及び第２制御部が情報管理装置と通信を可能とすることができ、ＩＣカードの表示部上で所有者の保持データを表示可能とさせることができるものである。
【図面の簡単な説明】
【００１３】
【図１】図１の本発明に係るＩＣカードの構成図である。
【図２】情報管理装置の構成説明図である。
【図３】本発明に係る保持データのカード表示の処理フローチャート（１）である。
【図４】本発明に係る保持データのカード表示の処理フローチャート（２）である。
【発明を実施するための形態】
【００１４】
以下、本発明の実施形態を図により説明する。本発明は全般的に個別毎に所有されるＩＣカードに当該所有者の保持データを表示させる場合に適用できるものであるが、本実施形態では、所有者の保持データをプリペイドや電子マネーの保持データとして説明する。
【００１５】
図１に、図１の本発明に係るＩＣカードの構成図を示す。図１（Ａ）は内部を示したもので、ＩＣカードとして少なくともは表示部を表出させて表装部が設けられるものであり、図１（Ｂ）はブロック構成図を示したものである。図１において、ＩＣカード１１は情報管理装置と非接触で通信自在とされる。なお、情報管理装置については図２で説明する。
【００１６】
図１（Ａ）、（Ｂ）において、ＩＣカード１１は、後に示す情報管理装置に挿入されたときに一のリーダライタアンテナ部の位置に対応して第１アンテナ部２２が設けられ、当該第１アンテナ部２２に第１制御部２１が電気的に接続されたものである。第１アンテナ部２２は、例えば円形螺旋状のアンテナコイルを、例えば公知の導電性の印刷インキにより形成され、その両端に第１制御部２１が接続されたものである。
【００１７】
上記第１アンテナ部２２は後述の情報管理装置に対して上記第１制御部２１で処理を行うためのデータ授受を行う。上記第１制御部２１は、個別のＩＤコードを保持して情報管理装置との通信を制御するものであり、記憶部２３にプリペイドや電子マネーの保持データを記憶する。当該第１制御部２１は、第１アンテナ部２２で受信した当該情報管理装置からのＩＤコード及び保持データの要求に対し、当該保持しているＩＤコードに、記憶部２３に記憶している保持データを付帯させて当該情報管理装置に当該第１アンテナ部２２を介して送信するＩＣチップ（第１ＩＣチップ）である。
【００１８】
上記第１ＩＣチップは、通信によるデータ授受だけの単独機能で高セキュリティを確保している既存のもので、例えば、ＩＳＯ１８０９２規格に対応したものである。当該第１ＩＣチップは、具体的には、制御回路、ＩＤコードや制御プログラムが記憶されているＲＯＭ、プログラム実行のためのメモリ、検波回路、変復調回路、電源回路及び保持データを記憶する記憶部２３を有してなる。
【００１９】
上記電源回路は、第１アンテナ部２２で受信した所定周波数の電波を検波回路で検波し、アンテナコイルで発生した誘導起電力を適宜昇圧して他の回路等の電力を生成するものである。周波数としては、例えば１３．５６ＭＨｚが採用される。また、受信した電波には当該周波数の搬送波にデータ信号が重畳されており、変復調回路で当該データ信号を復調し、一方、第１制御部２１より送信するときには、制御回路が当該変復調回路に対して当該周波数の搬送波に送信データ信号（本発明の場合にはＩＤコードや記憶部２３に記憶している保持データ）を重畳させて変調させ、第１アンテナ部２２より送信するものである。
【００２０】
上記第１制御部２１及び第１アンテナ部２２の、例えば外側に第２アンテナ部２６が設けられ、当該第２アンテナ部２６に第２制御部２４が電気的に接続されたものである。第２アンテナ部２６は、例えば長方形螺旋状のアンテナコイルを、第１アンテナ部２２と同様に導電性の印刷インキにより形成され、その両端に第２制御部２４が接続されたものである。
【００２１】
上記第２アンテナ部２６は後述の情報管理装置からの後述する表示データを受信する。上記第２制御部２４は、情報管理装置との通信を制御するものであり、第２アンテナ部２６で受信した当該情報管理装置からの表示データを表示制御するＩＣチップ（第２ＩＣチップ）である。
【００２２】
上記第２ＩＣチップは、具体的には、制御回路、制御プログラムが記憶されているＲＯＭ、プログラム実行や表示データの一時記憶のためのメモリ、検波回路、変復調回路、電源回路及び表示制御部２５としての表示制御回路を有してなる。
【００２３】
上記電源回路は、第２アンテナ部２６で受信した所定周波数の電波を検波回路で検波し、アンテナコイルで発生した誘導起電力を第２ＩＣチップの電力とし、また、後述する表示部２７で表示させるに必要な電圧に昇圧して電力を生成するものである。周波数としては、上記同様の１３．５６ＭＨｚである。また、受信した電波には当該周波数の搬送波に表示データが重畳されており、変復調回路で当該表示データを復調し、一方、第２制御部２４より表示終了の終了信号を送信するときには、制御回路が当該変復調回路に対して当該周波数の搬送波に当該表示終了信号を重畳させて変調させ、第２アンテナ部２６より送信するものである。
【００２４】
上記表示部２７は、第２制御部２４（表示制御回路２５）により表示制御されるもので、その電力は上記のように電源回路で生成される。当該表示部２７は、例えば、公知の電気泳動方式のもので、電力供給が停止されても、表示された像が残る残映状態となり、いつでも視認可能なものである。例えば、表示部２７には、プリペイドや電子マネーの残金用として表示される。
【００２５】
続いて、図２に、情報管理装置の構成説明図を示す。図２（Ａ）において、情報管理装置１２は、上記ＩＣカード１１に対応するものとして、挿入部３１、一のリーダライタアンテナ部３２、制御部３３、表示部３４及び操作部３５を適宜備える。
【００２６】
上記挿入部３１は、上記ＩＣカード１１を挿入させる部分である。なお、完全挿入型とする場合には、排出機構も備えられる。上記リーダライタアンテナ部３２は、当該ＩＣカード１１に対して第１アンテナ部２２及び第２アンテナ部２６を介して上記周波数（１３．５６ＭＨｚ）で通信自在とするもので、当該ＩＣカード１１が挿入部３１に挿入されたときに第１アンテナ部２２及び第２アンテナ部２６と対向する位置に配置される。すなわち、当該リーダライタアンテナ部３２は、単一で、ＩＣカード１１の第１アンテナ部２２及び第２アンテナ部２６の両方に対して通信を行う役割をなす。
【００２７】
上記制御部３３は、当該装置を統括的に制御するもので、具体的には、図示しないＲＯＭに記憶されているプログラムがメモリ上に展開されて実行されることにより制御を行う制御回路、メモリ、電源回路、発信回路、変復調回路、電力増幅回路、検波回路を適宜備えるＩＣチップである。上記挿入部３１、リーダライタアンテナ部３２及び制御部３３により広義のリーダライタが構成される。
【００２８】
すなわち、制御部３３は、挿入部３１に挿入されたＩＣカード１１の第１制御部２１に対してＩＤコード及び保持データを要求して取得する。そして、当該情報管理装置１２に対して所有者から取得させた保持データの変動（例えば入金）の要求に応じて、演算を行い、その結果を更新された更新保持データとしてＩＣカード１１の第１制御部２１に対して送信する。
【００２９】
また、制御部３３は、当該更新保持データを表示データとしてＩＣカード１１の第２制御部２４に対して送信するもので、その際には、第１制御部２１に対する更新保持データの送信とは別のものとして、例えば第１制御部２１に対する通信プロトコルと異なるプロトコルで第２制御部２４に対して通信を行う。
【００３０】
上記表示部３４は、制御部３３で取得された当該ＩＣカード１１の保持データを表示させ、また、保持データの変動による更新保持データを表示する、例えばＬＥＤ表示部である。なお、表示部３４は、視覚的表示に限らず、音声表示を含ませてもよい。また、上記操作部３５は、少なくとも入金操作を行う操作ボタンや真贋判別を行う入金機構を備える。この操作部３５における操作ボタンは、ボタン機構、タッチパネル式を問わない。
【００３１】
すなわち、上記情報管理装置１２は、ＩＣカード１１の第１アンテナ部２２及び第２アンテナ部２６と通信自在とし、所有者から取得させた保持データの変動の要求に応じて、演算を行い、その結果を更新された更新保持データをＩＣカード１１の第１制御部２１に送信すると共に、表示データとしてＩＣカード１１の第２制御部２４に送信する処理を少なくとも行うものである。上記保持データの変動とは、例えば、カード所有者の入金による加算であり、情報管理装置１２が自動販売機に搭載される場合には、入金による加算の他に使用による減算である。
【００３２】
そこで、図３及び図４に本発明に係る保持データのカード表示の処理フローチャートを示す。まず、図３において、情報管理装置１２の制御部３３が、リーダライタアンテナ部３２より周波数Ｆ（１３．５６ＭＨｚ）の搬送波に重畳させたＩＤコード要求及び保持データ要求のコマンドをＩＣカード１１の第１制御部２１に対する通信プロトコルで送信状態とする（ステップ（Ｓ）１）。挿入部３１にＩＣカード１１が挿入されると、第１アンテナ部２２が当該ＩＤコード要求及び保持データ要求のコマンドを受信する（Ｓ２）。
【００３３】
ＩＣカード１１の第１制御部２１では第１アンテナ部２２で受信した搬送波による誘導起電力により第１ＩＣチップが起動され、保持しているＩＤコード及び記憶部２３に記憶している保持データを情報管理装置１２側に上記通信プロトコルで送信する（Ｓ３）。情報管理装置１２では取得した保持データを表示部３４に表示する（Ｓ４）。
【００３４】
続いて、所有者が操作部３５により例えば入金の操作ボタンを操作して入金が行われると、制御部３３が、入金データ（残金変動データ）を取得し（Ｓ５）、上記取得している保持データとの加算演算を行い、更新保持データとする（Ｓ６）。また、制御部３３は、上記演算値の更新保持データを表示部３５に表示すると共に、当該更新保持データにパリティチェックフラグを付帯させ、ＩＣカードに対してリーダライタアンテナ部３２より周波数Ｆの搬送波に重畳させた更新保持データによる記憶部の保持データ更新のコマンドを送信する（Ｓ７）。
【００３５】
ＩＣカード１１では、第１アンテナ部２２で受信した搬送波から電力が生成されて第１制御部２１が起動され、受信した更新保持データをパリティチェックしてその結果を情報管理装置１２側に上記通信プロトコルで送信する（Ｓ８）。パリティチェックの結果（Ｓ９）、不一致の場合には否定応答（ＮＡＫ）を情報管理装置１２側に送信することで、当該情報管理装置１２より表示データが再送され、第１制御部２１がこれに対してもパリティチェックを行ってその結果を情報管理装置１２側に送信する（Ｓ７、Ｓ８）。
【００３６】
パリティチェックの結果（Ｓ９）、一致した場合には応答（ＡＣＫ）を情報管理装置１２側に送信し、取得した更新保持データに基づいて記憶部２３の保持データを更新するものである（Ｓ１０）。
【００３７】
情報管理装置１２の制御部３３が、図５に示すように、パリティチェックの応答（ＡＣＫ）を受信すると（Ｓ１１）、演算した更新保持データを第１制御部２１に対する更新保持データとは別に表示データとし、挿入されているＩＣカード１１に対して当該表示データにパリティチェックフラグを付帯させ、周波数Ｆ（１３．５６ＭＨｚ）の搬送波に重畳させて上記第１制御部２１に対する通信プロトコルと異なるプロトコルで送信する（Ｓ１２）。
【００３８】
ＩＣカード１１の第２アンテナ部２６では、異なるプロトコルで送信されてきた表示データを受信し、当該受信した搬送波による誘導起電力を生成させて第２制御部２４の第２制御部２４を起動させ、受信した表示データを付帯されているパリティチェックフラグよりパリティチェックを行い、その結果を情報管理装置１２側に送信する（Ｓ１３）。
【００３９】
パリティチェックの結果（Ｓ１４）、不一致の場合には否定応答（ＮＡＫ）を情報管理装置１２側に送信することで、当該情報管理装置１２より表示データが再送され、第２制御部２４がこれに対してもパリティチェックを行ってその結果を情報管理装置１２側に送信する（Ｓ１２、Ｓ１３）。
【００４０】
パリティチェックの結果（Ｓ１４）、一致した場合には応答（ＡＣＫ）を情報管理装置１２側に送信し、表示制御部２５により表示部２７に対する記憶部２３に記憶されている更新保持データと同一の更新保持データの内容（残金）の表示を書き換える（Ｓ１５）。そして、第２制御部２４が、情報管理装置１２側にタイミング等による表示書き換えの終了信号を送信する（Ｓ１６）。
【００４１】
情報管理装置１２の制御部３３では、表示書き換えの終了信号を受信し、表示部３４に挿入部３１からのＩＣカード１１の取り出し許可を表示するものである（Ｓ１７）。この場合、取り出し許可を音声で表示させることとしてもよい。また、挿入部３１が、完全挿入型の場合には、自動的に排出させることとしてもよいものである。
【００４２】
このように、第１制御部２１の第１ＩＣチップを、上記のようにＩＳＯ１８０９２対応の既存の高セキュリティのＩＣチップとして、情報管理装置１２の制御部３３のプログラムの変更だけでアンテナ部などのリーダライタ部分の機構変更を伴うことなく第１制御部２１及び第２制御部２４が当該情報管理装置１２と通信を可能とすることができ、ＩＣカード１１の記憶部２３に記憶している保持データを表示部２７に表示させることができるものである。
【００４３】
ところで、情報管理装置１２の挿入部３１が完全挿入型の場合、操作部３５にイジェクトボタンを処理中止用として設けてもよく、この場合には、イジェクトボタンが操作されたときに、制御部３３において、取得した保持データが更新されていなければそのままの状態で取り出し許可の表示をさせ、更新されている場合には図３のＳ７〜Ｓ１０及び図４の処理を行わせることとすればよい。なお、挿入部３１が完全挿入型のものでなく、単に挿入するだけのもので操作部３５に処理中止の操作ボタンを設けた場合であっても同様である。
【産業上の利用可能性】
【００４４】
本発明のＩＣカードのデータ表示方法及びＩＣカードは、個別毎に所有されるＩＣカードに当該所有者の保持データを表示させるＩＣカード産業に利用可能である。
【符号の説明】
【００４５】
１１            ＩＣカード
１２            情報管理装置
２１            第１制御部
２２            第１アンテナ部
２３            記憶部
２４            第２制御部
２５            表示制御部
２６            第２アンテナ部
２７            表示部
３１            挿入部
３２            リーダライタアンテナ部
【図１】
2011076151.tif 000003
【図２】
2011076151.tif 000004
【図３】
2011076151.tif 000005
【図４】
2011076151.tif 000006